(57)【特許請求の範囲】
【請求項１】
一対の基板と、
前記一対の基板に挟持された液晶層と、
前記一対の基板のうち一方の基板に設けられ、他方の基板に形成される異なる色のカラーフィルターにそれぞれ対応する略矩形状の複数のサブ画素を有し、当該複数のサブ画素が一列に並んで配置される表示用画素と、
前記一対の基板のうち一方の基板に、少なくとも前記表示用画素を成す前記複数のサブ画素の１組に対応し、前記複数のサブ画素が並ぶ方向を長手方向とする略矩形状に設けられ、第１電極および第２電極と、前記第１電極および前記第２電極のうち少なくとも一方に設けられ、当該略矩形状の短手方向に亘って互いに間隔を置いて配置された複数の帯状電極部と、を有し、前記長手方向の一辺で前記複数のサブ画素に亘って隣接する視角制御用画素と、
前記帯状電極部の少なくとも一方の端部と平面的に重なるように前記一対の基板のうち少なくとも前記他方の基板に配置された遮光領域と、
を備え、
前記第１電極と前記第２電極との間に電界を生じさせ前記液晶層における液晶分子の配向方向を制御することにより、前記視角制御用画素の正面方向に対する斜め方向の輝度を変化させる、
液晶装置。
【請求項２】
前記一対の基板のうち他方の基板には、少なくとも赤色、緑色、青色の前記異なる色のカラーフィルターが形成される、
請求項１に記載の液晶装置。
【請求項３】
前記表示用画素は、前記表示用画素を駆動制御する薄膜トランジスターに電気的に接続するデータ線と前記データ線に交差する走査線とによって区切られた領域に設けられ、
前記視角制御用画素を駆動制御する薄膜トランジスターには、前記複数のサブ画素のうちの１つに対応する前記データ線が接続されている、
請求項１に記載の液晶装置。
【請求項４】
前記表示用画素は、前記表示用画素を駆動制御する薄膜トランジスターに電気的に接続するデータ線と前記データ線に交差する走査線とによって区切られた領域に設けられ、
前記視角制御用画素を駆動制御する薄膜トランジスターには、前記複数のサブ画素に対応する前記データ線とは別の専用データ線が接続されている、
請求項１に記載の液晶装置。
【請求項５】
前記専用データ線は、赤色の前記表示用画素の前記データ線に沿って設けられている、
請求項４に記載の液晶装置。
【請求項６】
前記専用データ線は、前記帯状電極部の一方の端部と平面的に重なるように設けられている、
請求項４または５に記載の液晶装置。
【請求項７】
前記視角制御用画素は、複数の前記表示用画素に対応して設けられ、前記長手方向の一辺が複数組の前記複数のサブ画素に亘って隣接している、
請求項１乃至６のいずれか一項に記載の液晶装置。
【請求項８】
請求項１乃至７のいずれか一項に記載の液晶装置を備える、電子機器。
【発明の詳細な説明】
【技術分野】
【０００１】
本発明は、表示用画素と視角制御用画素とを有する液晶装置、電子機器に関する。
【背景技術】
【０００２】
上記液晶装置として、液晶層を挟持する一対の基板のうちの第１基板において液晶層を駆動する一対の電極と、視角制御領域における一対の電極のうち一方の電極が互いに電気的に接続され液晶層における液晶分子の初期配向方向に対して直交する方向に延在する複数の帯状部とを有し、視角制御領域における一対の電極のうちの他方の電極が、一方の電極と絶縁層を介して配置された液晶装置が知られている（特許文献１）。
【０００３】
上記液晶装置の実施形態によれば、視角制御領域は、矩形状の表示領域の短手方向に隣接して設けられ、液晶分子の初期配向方向は、同じく矩形状の視角制御領域における長手方向であり、上記一方の電極における上記複数の帯状部は、視角制御領域の短手方向に延在していると共に、長手方向に所定の間隔をおいて並列した所謂ＦＦＳ（Fringe  Field  Switching）方式の電極構造となっている。
【先行技術文献】
【特許文献】
【０００４】
【特許文献１】特開２００９−２５３３２号公報  頁７〜頁９、図３および図４
【発明の概要】
【発明が解決しようとする課題】
【０００５】
上記ＦＦＳ方式の液晶装置では、視角制御領域の一方の電極と他方の電極との間に駆動電圧を印加したとき、主に一方の電極の帯状部の延在方向と直交する方向すなわち液晶分子の初期配向方向に電界が生じて液晶分子の初期配向状態が乱され、視角制御領域の斜め方向における輝度が変化する。すなわち、斜め方向から見たときの輝度が低下して表示が見難くなる。
一方で帯状部の端部では、絶縁層を介して対向する他方の電極との間の電界方向が必ずしも液晶分子の初期配向方向と同一方向にならず、液晶分子がわずかにツイストする。したがって、視角制御領域の帯状部の端部における液晶層の旋光性により、光漏れが生じて液晶装置を正面から見たときにコントラストが低下するおそれがあるという課題がある。
【課題を解決するための手段】
【０００６】
本発明は、上述の課題の少なくとも一部を解決するためになされたものであり、以下の形態または適用例として実現することが可能である。
【０００７】
本適用例の液晶装置は、一対の基板と、一対の基板に挟持された液晶層と、一対の基板のうち一方の基板に設けられ、他方の基板に形成される異なる色のカラーフィルターにそれぞれ対応する略矩形状の複数のサブ画素を有し、当該複数のサブ画素が一列に並んで配置される表示用画素と、一対の基板のうち一方の基板に、少なくとも表示用画素を成す複数のサブ画素の１組に対応し、複数のサブ画素が並ぶ方向を長手方向とする略矩形状に設けられ、第１電極および第２電極と、第１電極および第２電極のうち少なくとも一方に設けられ、当該略矩形状の短手方向に亘って互いに間隔を置いて配置された複数の帯状電極部と、を有し、長手方向の一辺で複数のサブ画素に亘って隣接する視角制御用画素と、帯状電極部の少なくとも一方の端部と平面的に重なるように一対の基板のうち少なくとも他方の基板に配置された遮光領域と、を備え、第１電極と第２電極との間に電界を生じさせ液晶層における液晶分子の配向方向を制御することにより、視角制御用画素の正面方向に対する斜め方向の輝度を変化させる。
【０００８】
この構成によれば、矩形状の視角制御用画素において、短手方向に複数の帯状電極部を並列させているため、長手方向に並列させる場合に比べて、光漏れが生じ易い帯状電極部の端部の数を減らすことができる。すなわち、正面方向から見たときの視角制御用画素における光漏れを低減して、すぐれた光学特性が得られる視角制御可能な液晶装置を提供できる。
【０００９】
また、正面方向から見たときの視角制御用画素における光漏れを防止して、よりすぐれた光学特性が得られる視角制御可能な液晶装置を提供できる。
【００１０】
上記適用例の液晶装置において、一対の基板のうち他方の基板には、少なくとも赤色、緑色、青色の異なる色のカラーフィルターが形成されるとしてもよい。
例えば、具体的には、データ線と、データ線に交差する走査線とによって区切られ、データ線の方向が長手方向となる矩形状の領域に設けられた表示用画素があり、走査線方向に赤色、緑色、青色のカラーフィルターが交互に設けられ、それぞれの色に対応して表示用画素が配置された液晶装置の場合に、視角制御用画素は、赤色、緑色、青色の三色に亘って、走査線方向が長手方向となる矩形状に設けられたものである。
この構成によれば、１つの表示用画素に対して１つの視角制御用画素を設ける場合に比べて、より少ない数の視角制御用画素で異なる色の表示用画素ごとに斜め方向からの輝度を変化させることができる。
【００１１】
上記適用例の液晶装置において、表示用画素は、表示用画素を駆動制御する薄膜トランジスターに電気的に接続するデータ線とデータ線に交差する走査線とによって区切られた領域に設けられ、視角制御用画素を駆動制御する薄膜トランジスターには、複数のサブ画素のうちの１つに対応するデータ線が接続されているとしてもよい。
この構成によれば、視角制御用画素に対応する専用のデータ線を設ける必要がなく、視角制御用画素を駆動制御できる。
【００１２】
上記適用例の液晶装置において、表示用画素は、表示用画素を駆動制御する薄膜トランジスターに電気的に接続するデータ線とデータ線に交差する走査線とによって区切られた領域に設けられ、視角制御用画素を駆動制御する薄膜トランジスターには、複数のサブ画素に対応するデータ線とは別の専用データ線が接続されているとしてもよい。
同一のデータ線を共用して表示用画素と視角制御用画素とを別々に駆動しようとする場合には、走査線を分けて駆動周波数を上げる必要がある。この構成によれば、視角制御用画素の専用データ線を設けることにより、表示用画素と走査線を共用することができ、駆動周波数を上昇させることなく、表示用画素と視角制御用画素とを個別に駆動制御できる。すなわち、消費電力の増加を防ぐことができる。
【００１３】
上記適用例の液晶装置において、専用データ線は、赤色の表示用画素のデータ線に沿って設けられていることが好ましい。
表示用画素のデータ線に沿って視角制御用画素の専用データ線を配置する場合、表示用画素の画素領域内に入ってしまうおそれがある。そうすると、専用データ線を敷設した部分の画素領域内の液晶層の厚みが変動してカラーフィルターを透過した透過光の色ムラが起こりやすい。この構成によれば、専用データ線は視感度が低い赤色の表示用画素に設けられているため、色ムラを起こしても目立ち難い。
【００１４】
上記適用例の液晶装置において、専用データ線は、帯状電極部の一方の端部と平面的に重なるように設けられていることが好ましい。
この構成によれば、専用データ線が遮光領域として機能し、視角制御用画素において帯状電極部の一方の端部における光漏れを防止することができる。
【００１５】
上記適用例の液晶装置において、視角制御用画素は、複数の表示用画素に対応して設けられ、長手方向の一辺が複数組の複数のサブ画素に亘って隣接しているとしてもよい。
この構成によれば、１組の表示用画素に対応して設ける場合に比べて、視角制御用画素における開口率を向上させることができる。
【００１６】
本適用例の電子機器は、上記適用例の液晶装置を備える。この構成によれば、使用環境に応じて視角制御用画素を駆動し、例えば使用者のみが表示された情報を見栄えのよい状態で確認することができる電子機器を提供することができる。
【図面の簡単な説明】
【００１７】
【図１】（ａ）は第１実施形態の液晶装置の構成を示す概略平面図、（ｂ）は（ａ）のＨ−Ｈ'線で切った概略断面図。
【図２】第１実施形態の液晶装置の等価回路図。
【図３】表示用画素と視角制御用画素の配置を示す概略図。
【図４】（ａ）は表示用画素と視角制御用画素の構成を示す概略平面図、（ｂ）は視角制御用画素における遮光領域を示す概略平面図。
【図５】（ａ）は図４（ａ）のＡ−Ａ'線で切った表示用画素の構造を示す概略断面図、（ｂ）は図４（ａ）のＢ−Ｂ'線で切った視角制御用画素の構造を示す概略断面図。
【図６】（ａ）〜（ｃ）は第１実施形態の液晶装置の光学設計条件を示す模式図。
【図７】表示用画素と視角制御用の駆動時における極角度に対する輝度の変化を示すグラフ。
【図８】（ａ）は第２実施形態の液晶装置における表示用画素と視角制御用画素の構成を示す概略平面図、（ｂ）は視角制御用画素における遮光領域を示す概略平面図。
【図９】第３実施形態の液晶装置における表示用画素と視角制御用画素の配置を示す模式平面図。
【図１０】電子機器の１例としての携帯型電話機を示す概略斜視図。
【図１１】（ａ）および（ｂ）は変形例１の液晶装置の表示用画素および視角制御用画素の構成を示す概略平面図。
【図１２】（ａ）〜（ｃ）は変形例１の液晶装置の光学設計条件を示す模式図。
【図１３】変形例２の液晶装置の表示用画素および視角制御用画素の構成を示す概略平面図。
【発明を実施するための形態】
【００１８】
以下、本発明を具体化した実施形態について図面に従って説明する。なお、使用する図面は、説明する部分が認識可能な状態となるように、適宜拡大または縮小して表示している。
【００１９】
（第１実施形態）
＜液晶装置＞
本実施形態の液晶装置について、図１〜図７を参照して説明する。図１（ａ）は第１実施形態の液晶装置の構成を示す概略平面図、同図（ｂ）は同図（ａ）のＨ−Ｈ'線で切った概略断面図、図２は第１実施形態の液晶装置の等価回路図、図３は表示用画素と視角制御用画素の配置を示す概略図、図４（ａ）は表示用画素と視角制御用画素の構成を示す概略平面図、同図（ｂ）は視角制御用画素における遮光領域を示す概略平面図、図５（ａ）は図４（ａ）のＡ−Ａ'線で切った表示用画素の構造を示す概略断面図、同図（ｂ）は図４（ａ）のＢ−Ｂ'線で切った視角制御用画素の構造を示す概略断面図、図６（ａ）〜（ｃ）は第１実施形態の液晶装置の光学設計条件を示す模式図である。
【００２０】
図１（ａ）および（ｂ）に示すように、本実施形態の液晶装置１００は、一対の基板としての素子基板１０および対向基板２０を備えている。素子基板１０と対向基板２０とは、互いに所定の位置で一定の間隔をおいて対向配置され、シール材４０によって封着された空間に正の誘電異方性を有する液晶層５０が充填されている。素子基板１０と対向基板２０とにより液晶層５０を挟持した状態を液晶セル１０１と呼ぶ。
【００２１】
対向基板２０の辺部に沿って額縁状に設けられたシール材４０の内側の部分が表示領域１０ａとなっている。表示領域１０ａには、複数の画素Ｐａが設けられている。
【００２２】
素子基板１０は、透明な例えばガラス基板であって、液晶層５０に面する側に複数の画素Ｐａとこれを駆動制御する薄膜トランジスターとを備えている。画素Ｐａは、表示用画素Ｐｃと視角制御用画素Ｐｂとにより構成されている。
対向基板２０は、同じく透明な例えばガラス基板であって、液晶層５０に面する側に異なる色のフィルターを有するカラーフィルター２２と遮光部２１とを備えている。
遮光部２１は、遮光性を有する例えば樹脂材料からなるものであって、画素Ｐａに対応してカラーフィルター２２を異なる色のフィルターごとに区分するように設けられている。
【００２３】
素子基板１０の液晶層５０に面する側に対して反対側の表面に、偏光素子としての偏光板１９が設けられ、同じく対向基板２０の液晶層５０に面する側に対して反対側の表面に偏光素子としての偏光板２４が設けられている。なお、偏光板１９，２４は、偏光板単体に限らず、位相差板などの光学フィルムと組み合わされたものや、光の入射側あるいは射出側の表面にアンチグレアコートやハードコートが施されたものでもよい。
【００２４】
対向基板２０の手前側の一辺部から突出した素子基板１０の端子部１０ｂには、液晶装置１００を駆動するための半導体装置であるドライバーＩＣ１０２，１０３が設けられている。
【００２５】
ドライバーＩＣ１０２は、データ線駆動回路を含むものであり、ドライバーＩＣ１０３は走査線駆動回路を含むものである。
ドライバーＩＣ１０２は、端子部１０ｂのほぼ中央部に平面実装され、ドライバーＩＣ１０３は、端子部１０ｂの両端側にそれぞれ１個ずつ平面実装されている。
また、端子部１０ｂには、外部駆動回路との接続を図るための中継基板１０５が設けられている。中継基板１０５は、例えばフレキシブル配線基板（ＦＰＣ）であって、ＦＰＣ１０５と呼ぶこともある。
【００２６】
このような液晶装置１００は、所謂アクティブ駆動の透過型液晶装置であって、例えば発光ダイオード（ＬＥＤ）やエレクトロルミネセンス（ＥＬ）などの光源を有する照明装置（図示省略）により照明されて用いられるものである。
【００２７】
図２に示すように、液晶装置１００は、データ線駆動回路を含むドライバーＩＣ１０２に接続された複数のデータ線６ａと、走査線駆動回路を含むドライバーＩＣ１０３に接続された複数の走査線３ａおよび共通線３ｂとを有する。データ線６ａと走査線３ａとは互いに絶縁された状態で交差しており、データ線６ａと走査線３ａとにより区分された領域に表示用画素Ｐｃと視角制御用画素Ｐｂとが設けられている。
【００２８】
表示用画素Ｐｃは、共通電極１３と、画素電極１５と、スイッチング素子としての薄膜トランジスター３０とを備えている。薄膜トランジスター３０のゲートは走査線３ａに接続され、ソースはデータ線６ａに接続され、ドレインは画素電極１５に接続されている。共通電極１３は共通線３ｂに接続されている。
【００２９】
視角制御用画素Ｐｂは、第１電極としての共通電極１７と、第２電極としての画素電極１８と、スイッチング素子としての薄膜トランジスター３１とを備えている。薄膜トランジスター３１のゲートは走査線３ａに接続され、ソースはデータ線６ａに接続され、ドレインは画素電極１８に接続されている。共通電極１７は共通線３ｂに接続されている。
【００３０】
ドライバーＩＣ１０２は、画像信号Ｓ１，Ｓ２，…，Ｓｎを、データ線６ａを介して各表示用画素Ｐｃと視角制御用画素Ｐｂとに供給する。画像信号Ｓ１〜Ｓｎはこの順に線順次に供給しても構わないし、相隣接する複数のデータ線６ａ同士に対して、グループごとに供給するようにしてもよい。
【００３１】
また、ドライバーＩＣ１０３から所定のタイミングで走査線３ａにパルス的に供給される走査信号Ｇ１，Ｇ２，…，Ｇｍが、この順に線順次で薄膜トランジスター３０，３１のゲートに印加されるようになっている。
【００３２】
スイッチング素子である薄膜トランジスター３０が走査信号Ｇ１，Ｇ２，…，Ｇｍの入力により一定期間だけオン状態とされることで、データ線６ａから供給される画像信号Ｓ１，Ｓ２，…，Ｓｎが所定のタイミングで画素電極１５に書き込まれるようになっている。画素電極１５を介して液晶層５０に書き込まれた所定レベルの画像信号Ｓ１，Ｓ２，…，Ｓｎは、画素電極１５と液晶層５０を介して対向する共通電極１３との間で一定期間保持される。
【００３３】
すなわち、共通電極１３と画素電極１５との間に生じた電界により液晶層５０が駆動制御され、表示用画素Ｐｃでは画像信号に基づいた表示が行われる。
【００３４】
一方、視角制御用画素Ｐｂでは、スイッチング素子である薄膜トランジスター３１が特定の走査信号により一定期間だけオン状態とされることにより、データ線６ａから供給される所定レベルの画像信号が所定のタイミングで画素電極１８に書き込まれ、液晶層５０を介して対向する共通電極１７との間で一定期間保持される。
これにより、視角制御用画素Ｐｂの正面方向に対して斜め方向の輝度が変化するように視角制御用画素Ｐｂが駆動される。視角制御の詳しいメカニズムについては後述する。
なお、薄膜トランジスターをＴＦＴ（Thin  Film  Transistor）と呼び、以降、ＴＦＴ３０，３１と表記する。
【００３５】
図３に示すように、走査線３ａの延在方向をＸ方向とし、データ線６ａの延在方向をＹ方向とすると、画素Ｐａは、表示領域１０ａ（図１（ａ）参照）においてＸ方向とＹ方向とにマトリクス状に配置されている。
【００３６】
画素Ｐａは、略矩形状の表示用画素Ｐｃと視角制御用画素Ｐｂとを有している。表示用Ｐｃは、対向基板２０におけるカラーフィルター２２の赤（Ｒ）、緑（Ｇ）、青（Ｂ）、３色の異なる色のフィルターに対応して設けられている。表示用画素Ｐｃは長手方向がＹ方向に沿っており、異なる色に対応する表示用画素Ｐｃが、Ｒ、Ｇ、Ｂの順にＸ方向に並んでいる。このような表示用画素Ｐｃを、画素Ｐａに対してサブ画素Ｐｃと呼ぶこともある。
これに対して、視角制御用画素Ｐｂは長手方向がＸ方向に沿っており、異なる色に対応して並んだ表示用画素Ｐｃに対してＹ方向において隣接して設けられている。視角制御用画素Ｐｂは、有色のフィルターを含まない構成となっている。なお、視角制御用画素Ｐｂは、有色のフィルターを含む構成としてもよい。そして本実施形態においては、表示用画素Ｐｃに対応して設けられているカラーフィルター２２をＹ方向に沿って、赤（Ｒ）、緑（Ｇ）、青（Ｂ）をそれぞれ連続的に設け（ストライブ状に形成）、視角制御用画素Ｐｂは、対向基板２０の対応する位置において、Ｒ、Ｇ、Ｂのフィルターを含む構成としてもよい。
また、視角制御用画素Ｐｂの平面的な大きさは、表示用画素Ｐｃとほぼ等しい。
【００３７】
次に表示用画素Ｐｃと視角制御用画素Ｐｂにおける構成について、さらに詳しく説明する。図４（ａ）に示すように、表示用画素Ｐｃは、データ線６ａと走査線３ａとにより区分された画素領域に平面視で略矩形状の画素電極１５を有している。また、画素電極１５が平面的に重なる位置において共通電極１３が設けられている。
データ線６ａと走査線３ａとの交差点付近の走査線３ａ上にＴＦＴ３０が設けられている。
【００３８】
画素電極１５は、例えばＩＴＯ（Indium  Tin  Oxide）などの透明導電膜からなり、画素領域の長手方向に延在すると共に短手方向に所定の間隔をおいて配置された複数の帯状電極部１５ａを有する。帯状電極部１５ａ間は、隙間が空いたスリット状となっており、当該部分をスリット１５ｂと呼ぶ。帯状電極部１５ａ（あるいはスリット１５ｂ）は、データ線６ａの延在方向すなわちＹ方向に対して交差する方向にわずかに傾いて設けられている。
【００３９】
このような帯状電極部１５ａを有する画素電極１５は、ＴＦＴ３０の半導体層３０ａ上から画素領域内に向けて延出して設けられたドレイン電極３０ｄとコンタクトホールＨ１を介して電気的に接続している。
【００４０】
共通電極１３は、例えばＩＴＯなどの透明導電膜からなり、画素領域の長手方向に亘って平板状に設けられていると共に、長手方向の一方の端部が共通線３ｂと平面的に重なる部分において電気的に共通線３ｂと接続している。
【００４１】
このような表示用画素Ｐｃは、Ｒ、Ｇ、Ｂ、３色の異なる色にそれぞれ対応して同じ構成を有するものである。
【００４２】
視角制御用画素Ｐｂは、データ線６ａと走査線３ａとにより区分され、３つの表示用画素Ｐｃ（Ｒ），Ｐｃ（Ｇ），Ｐｃ（Ｂ）に亘って隣接する画素領域に平面視で略矩形状の画素電極１８を有している。また、画素電極１８が平面的に重なる位置において共通電極１７が設けられている。
データ線６ａと走査線３ａとの交差点付近の走査線３ａ上にＴＦＴ３１が設けられている。
【００４３】
画素電極１８は、例えばＩＴＯなどの透明導電膜からなり、画素領域の長手方向に延在すると共に短手方向に所定の間隔をおいて配置された複数の帯状電極部１８ａを有する。帯状電極部１８ａ間は、隙間が空いたスリット状となっており、当該部分をスリット１８ｂと呼ぶ。
【００４４】
このような帯状電極部１８ａを有する画素電極１８は、ＴＦＴ３１の半導体層３１ａ上から画素領域内に向けて延出して設けられたドレイン電極３１ｄとコンタクトホールＨ２を介して電気的に接続している。
【００４５】
共通電極１７は、例えばＩＴＯなどの透明導電膜からなり、画素領域の長手方向に亘って平板状に設けられていると共に、短手方向の一方の端部が共通線３ｂと平面的に重なる部分において電気的に共通線３ｂと接続している。
【００４６】
また、図４（ｂ）に示すように、複数の帯状電極部１８ａ（あるいは複数のスリット１８ｂ）の両端部と平面的に重なるように対向基板２０において遮光部２１が設けられている。言い換えれば、遮光部２１によって形成される遮光領域内に複数の帯状電極部１８ａ（あるいは複数のスリット１８ｂ）の両端部が位置しており、遮光されている。より具体的には、スリット１８ｂの両端部のＸ方向における長さにして５μｍ程度が遮光領域内に含まれるように、対向基板２０において遮光部２１が形成されている。
【００４７】
次に図５を参照して表示用画素Ｐｃと視角制御用画素Ｐｂの各構成の構造をさらに詳しく説明する。
【００４８】
図５（ａ）に示すように、表示用画素Ｐｃは、まず素子基板１０上に例えばアルミニウムなどの低抵抗配線材料からなる導電層をスパッタ法や蒸着法を用いて形成し、これをフォトリソグラフィ法によりパターニングして走査線３ａを形成する。走査線３ａを覆うように例えばＳｉＯ2（酸化シリコン）などからなるゲート絶縁膜１１を形成する。
【００４９】
ゲート絶縁膜１１上にアモルファスシリコン層を形成し、これをフォトリソグラフィ法によりパターニングして、走査線３ａと重なる位置に島状の半導体層３０ａを形成する。
半導体層３０ａを覆うように導電層を形成し、これをフォトリソグラフィ法によりパターニングして、半導体層３０ａのソース領域に重なるソース電極３０ｓと、ソース電極３０ｓに繋がるデータ線６ａとを一体形成する。また、半導体層３０ａのドレイン領域に重なるドレイン電極３０ｄを形成する。
【００５０】
半導体層３０ａ、ドレイン電極３０ｄ、ソース電極３０ｓ（データ線６ａ）を覆うように例えばＳｉＮ（窒化シリコン）などからなる第１層間絶縁膜１２を形成する。
【００５１】
第１層間絶縁膜１２上に導電層を形成し、これをフォトリソグラフィ法によりパターニングして、共通線３ｂ（図示省略）を形成する。共通線３ｂを覆うように透明導電膜を成膜して、おなじくフォトリソグラフィ法によりパターニングし共通電極１３を形成する。
【００５２】
共通電極１３を覆うように例えばアクリル系樹脂材料からなる第２層間絶縁膜１４を形成する。また、第１層間絶縁膜１２および第２層間絶縁膜１４の一部をエッチング除去して画素領域内に延出したドレイン電極３０ｄの部分に到達する孔（ホール）を形成する。第２層間絶縁膜１４上および上記孔を覆うように透明導電膜を形成して、これをフォトリソグラフィ法によりパターニングし、コンタクトホールＨ１とこれに繋がる画素電極１５を形成する。画素電極１５が複数の帯状電極部１５ａを有するように形成する。
【００５３】
画素電極１５を覆うように例えばポリイミド樹脂などからなる配向膜１６を形成する。配向膜１６は例えばラビングなどの配向処理方法を用いて、所定の方向に液晶分子ＬＣを配向させる配向処理が施される。
【００５４】
対向基板２０の液晶層５０に面する側には、まず、遮光性の樹脂材料を用いて遮光部２１が形成される。遮光部２１の形成方法としては、オフセットなどの印刷法を用いて上記樹脂材料を塗布してパターニングする方法や、感光性の上記樹脂材料を全面に塗布してから露光・現像することによりパターニングする方法が挙げられる。
【００５５】
次に遮光部２１を覆うように感光性のフィルター材料を塗布して、露光・現像することによりカラーフィルター２２を形成する。もちろん、Ｒ、Ｇ、Ｂの異なる色ごとに分けてカラーフィルター２２を形成する。カラーフィルター２２の形成方法としては、樹脂材料からなる遮光部２１を隔壁部として形成し、遮光部２１によって区画された領域内に、フィルター材料を含む液状体を液滴として吐出して乾燥させることにより、各色のカラーフィルター２２を形成する液滴吐出法（インクジェット法）を用いてもよい。
【００５６】
そして、カラーフィルター２２を覆うように例えばポリイミド樹脂からなる配向膜２３を形成する。配向膜２３は、素子基板１０側の配向膜１６と同様に例えばラビングなどの配向処理方法を用いて、所定の方向に液晶分子ＬＣを配向させる配向処理が施される。
【００５７】
次に視角制御用画素Ｐｂについて説明するが、上述した表示用画素Ｐｃと共通する部分については、簡略して説明する。図５（ｂ）に示すように、視角制御用画素Ｐｂは、素子基板１０の走査線３ａを覆うゲート絶縁膜１１上にアモルファスシリコン層を形成し、これをフォトリソグラフィ法によりパターニングして、走査線３ａと重なる位置に島状の半導体層３１ａを形成する。
半導体層３１ａを覆うように導電層を形成し、これをフォトリソグラフィ法によりパターニングして、半導体層３１ａのソース領域に重なるソース電極３１ｓと、ソース電極３１ｓに繋がるデータ線６ａとを一体形成する。また、半導体層３１ａのドレイン領域に重なるドレイン電極３１ｄを形成する。
【００５８】
半導体層３１ａ、ドレイン電極３１ｄ、ソース電極３１ｓ（データ線６ａ）を覆うように例えばＳｉＮ（窒化シリコン）などからなる第１層間絶縁膜１２が形成される。
【００５９】
第１層間絶縁膜１２上に導電層を形成し、これをフォトリソグラフィ法によりパターニングして、共通線３ｂ（図示省略）を形成する。共通線３ｂを覆うように透明導電膜を成膜して、おなじくフォトリソグラフィ法によりパターニングし共通電極１７を形成する。
【００６０】
共通電極１７を覆うように例えばアクリル系樹脂材料からなる第２層間絶縁膜１４が形成される。また、第１層間絶縁膜１２および第２層間絶縁膜１４の一部をエッチング除去して画素領域内に延出したドレイン電極３１ｄの部分に到達する孔（ホール）を形成する。第２層間絶縁膜１４上および上記孔を覆うように透明導電膜を形成して、これをフォトリソグラフィ法によりパターニングし、コンタクトホールＨ２とこれに繋がる画素電極１８を形成する。画素電極１８が複数の帯状電極部１８ａを有するように形成する。
【００６１】
画素電極１８を覆うように例えばポリイミド樹脂などからなる配向膜１６が形成される。配向膜１６は前述したように例えばラビングなどの配向処理方法を用いて、所定の方向に液晶分子ＬＣを配向させる配向処理が施される。
【００６２】
視角制御用画素Ｐｂにおける対向基板２０の液晶層５０に面する側には、遮光性の樹脂材料を用いて遮光部２１が形成され、カラーフィルター２２は設けられていない。
【００６３】
そして、遮光部２１を覆うように例えばポリイミド樹脂からなる配向膜２３が形成される。配向膜２３は、前述したように例えばラビングなどの配向処理方法を用いて、所定の方向に液晶分子ＬＣを配向させる配向処理が施される。
【００６４】
このような構造の液晶装置１００は、表示用画素Ｐｃの帯状電極部１５ａを有する画素電極１５と共通電極１３との間に発生する電界によって液晶層５０の液晶分子の配向方向を制御することにより、表示を行わせるものであって、ＦＦＳ（Fringe  Field  Switching）方式と呼ばれている。同様に視角制御用画素Ｐｂでは、帯状電極部１８ａを有する画素電極１８と共通電極１７との間に発生する電界によって液晶層５０の液晶分子の配向方向を制御することにより、視角制御を行わせるものである。
【００６５】
次に、液晶装置１００における光学設計について述べる。図６（ａ）に示すように、液晶セル１０１の初期配向は、画素の列方向つまりＹ方向に沿ったホモジニアス配向となっている。より具体的には、素子基板１０の配向膜１６におけるラビング方向と、対向基板２０の配向膜２３におけるラビング方向とは、互いにＹ方向に沿っているが１８０度逆向きとなっている。
【００６６】
一対の偏光板１９，２４の光学的な配置は、液晶セル１０１を挟んでクロスニコル（互いの透過軸または吸収軸が直交する状態）となっている。具体的には、照明装置からの光が入射する側に配置された偏光板１９の透過軸１９ｔは、上記初期配向方向と同一方向となっている。これに対して、光が射出される側に配置された偏光板２４の透過軸２４ｔは、上記初期配向方向と直交している。
【００６７】
すなわち、入射光は、偏光板１９を透過して直線偏光に変換され、液晶セル１０１を透過するものの、偏光板２４によって吸収されるため、非駆動状態つまり初期配向状態では黒表示となる。
【００６８】
図６（ｂ）に示すように、表示用画素Ｐｃの画素電極１５のスリット１５ｂは、配向処理方向に対して左下がりに５°（右上がり８５°）傾いている。したがって、帯状電極部１５ａを有する画素電極１５とこれに対向配置された共通電極１３との間に駆動電圧を印加すると、平面視で帯状電極部１５ａ（あるいはスリット１５ｂ）の延在方向と直交する方向に電界が生ずる。
正の誘電異方性を有する液晶分子ＬＣは、長軸が電界方向に向くように配向するため、帯状電極部１５ａの近傍では、反時計回りにツイストする。これによって液晶層５０に旋光性が生ずる（図５（ａ）参照）。偏光板１９によって直線偏光に変換された入射光は、液晶セル１０１を透過する間に旋光して偏光板２４を透過する。つまり、駆動時にはカラーフィルター２２により着色された色が観察され、画素Ｐａを構成する異なる色の表示用画素Ｐｃがすべて駆動状態のときには、白表示となる。このような表示モードはノーマリーブラックモードと呼ばれている。
なお、配向処理方向と帯状電極部１５ａ（あるいはスリット１５ｂ）とがなす角度は、５°に限定されない。電界を生じさせたときに液晶分子ＬＣが一定の方向に安定してツイストする角度に設定される。
【００６９】
一方、視角制御用画素Ｐｂでは、画素電極１８のスリット１８ｂは、配向処理方向に対して直交する方向に延在している。したがって、帯状電極部１８ａを有する画素電極１８とこれに対向配置された共通電極１７との間に駆動電圧を印加すると、平面視で帯状電極部１８ａ（あるいはスリット１８ｂ）の延在方向と直交する方向に電界が生ずる。つまり配向処理方向と同一方向に電界が生ずる。正の誘電異方性を有する液晶分子ＬＣは、長軸が電界方向に向くように配向するものの、配向処理方向と電界方向とが同一なため、帯状電極部１８ａの近傍ではツイストなどの挙動は発生しない。ところが画素電極１８と共通電極１７との間に生じた電界は、図５（ｂ）に示すように、液晶層５０の厚み方向にも及んでいるため、画素電極１８を覆う配向膜１６の近傍において配向する液晶分子ＬＣはチルト角が増大する方向に変位する。
すなわち、視角制御用画素Ｐｂを駆動すると、正面から見たときには、非駆動状態と同じ黒表示となるものの、正面方向から外れた斜め方向から見ると偏光板１９側からの入射光の一部が液晶層５０と偏光板２４とを透過して漏れてくる。
【００７０】
なお、視角制御用画素Ｐｂの複数の帯状電極部１８ａ（あるいはスリット１８ｂ）の両端部では、画素電極１８と共通電極１７との間に生ずる電界の方向は、必ずしも帯状電極部１８ａの延在方向と直交する方向になりえない。したがって、電界方向の変化に伴って液晶分子ＬＣの長軸が向く方向が変化してツイストが発生し、正面から見た場合にも光漏れが生ずるおそれがある。
本実施形態では、図４（ｂ）に示すように複数の帯状電極部１８ａ（あるいはスリット１８ｂ）の両端部が遮光部２１による遮光領域内に位置しているので、上記光漏れを防止可能な構造となっている。
また、上記両端部が遮光領域内に位置していなくても、複数の帯状電極部１８ａが略矩形状の視角制御用画素Ｐｂの長手方向に延在しているので、短手方向に延在させる場合に比べて、上記両端部の数を少なくして、実質的な光漏れの量を減少させることができる。
【００７１】
図７は、表示用画素と視角制御用の駆動時における極角度に対する輝度の変化を示すグラフである。図７に示すように、表示用画素Ｐｃは正面から見たときに最も輝度が高くなり、斜め方向から見たときにはその極角度が大きくなるにしたがって輝度が低くなる。
視角制御用画素Ｐｂは正面から見たときに最も輝度が低くなり、偏光板２４の吸収軸（液晶分子の初期配向方向）に対して斜め方向から見たときにその極角度が大きくなるにしたがって一旦輝度が上昇するも、さらに極角度が大きくなると下降する。視角制御用画素Ｐｂにおける輝度は、画素電極１８と共通電極１７との間に印加される駆動電圧（電界強度）に応じて図７のように変化する。
このような液晶装置１００によれば、表示用画素Ｐｃを駆動すると共に、視角制御用画素Ｐｂを駆動すると、正面方向から見たときには、見栄えのよい状態で表示をきちんと視認することができる。一方、正面方向に対して斜め方向から見たときには、視角制御用画素Ｐｂの輝度が上昇して表示用画素Ｐｃの相対的なコントラストが低下し、視認し難くなる。つまり、視角制御用画素Ｐｂをオン・オフすることによって任意に実際の視角を制御することができる。
【００７２】
（第２実施形態）
次に第２実施形態の液晶装置について、図８を参照して説明する。図８（ａ）は第２実施形態の液晶装置における表示用画素と視角制御用画素の構成を示す概略平面図、同図（ｂ）は視角制御用画素における遮光領域を示す概略平面図である。なお、第１実施形態における液晶装置１００と同じ構成は同じ符号を付すことにより詳細の説明は省略する。
【００７３】
図８（ａ）に示すように、第２実施形態の液晶装置２００は、第１実施形態の液晶装置１００に対して異なる色の表示用画素Ｐｃ（Ｒ），Ｐｃ（Ｇ），Ｐｃ（Ｂ）と視角制御用画素Ｐｂとにおいて１つの走査線３ａを共用すると共に、視角制御用画素Ｐｂを駆動制御するＴＦＴ３１に電気的に接続される専用データ線６ｂを有している点が異なっている。
【００７４】
異なる色の表示用画素Ｐｃ（Ｒ），Ｐｃ（Ｇ），Ｐｃ（Ｂ）と視角制御用画素Ｐｂの配置は、基本的に第１実施形態と同じだが、共用する走査線３ａを挟んでＹ方向において隣設されている。共用する走査線３ａ上には、ＴＦＴ３０とＴＦＴ３１とが設けられている。
【００７５】
専用データ線６ｂは、Ｘ方向に並ぶ異なる色の表示用画素Ｐｃ（Ｒ），Ｐｃ（Ｇ），Ｐｃ（Ｂ）のうち端に位置する赤の表示用画素Ｐｃ（Ｒ）のＴＦＴ３０に接続されるデータ線６ａに沿うと共に、表示用画素Ｐｃ（Ｒ）の画素領域側に入り込んで配置されている。
そして、走査線３ａ上において表示用画素Ｐｃ（Ｒ）に対応するＴＦＴ３０に並んで配置されたＴＦＴ３１のソース電極３１ｓと一体形成されている。
略矩形状の視角制御用画素Ｐｂにおける複数の帯状電極部１８ａ（あるいは複数のスリット１８ｂ）を有する画素電極１８は、コンタクトホールＨ２を介してＴＦＴ３１のドレイン電極３１ｄに接続されている。
画素電極１８に対向配置された共通電極１７は、共通線３ｂと平面的に重なる部分において電気的に接続している。
【００７６】
また、図８（ｂ）に示すように、複数の帯状電極部１８ａ（あるいは複数のスリット１８ｂ）の一方の端部と平面的に重なるように専用データ線６ｂが素子基板１０において設けられている。さらには、複数の帯状電極部１８ａ（あるいは複数のスリット１８ｂ）の他方の端部と平面的に重なるように対向基板２０において遮光部２１が設けられている。なお、遮光部２１の一部は、コンタクトホールＨ２の近傍において帯状電極部１８ａ（あるいはスリット１８ｂ）の一方の端部と平面的に重なっている。
言い換えれば、専用データ線６ｂと遮光部２１とによって形成される遮光領域内に複数の帯状電極部１８ａ（あるいは複数のスリット１８ｂ）の両端部が位置しており、遮光されている。より具体的には、スリット１８ｂの両端部のＸ方向における長さにして５μｍ程度が遮光領域内に含まれている。
【００７７】
このような液晶装置２００によれば、異なる色の表示用画素Ｐｃ（Ｒ），Ｐｃ（Ｇ），Ｐｃ（Ｂ）と視角制御用画素Ｐｂとで１つの走査線３ａを共用し、視角制御用画素Ｐｂを駆動制御するための制御信号をＴＦＴ３１に送出する専用データ線６ｂを有している。したがって、表示用画素Ｐｃ（Ｒ）のＴＦＴ３０に繋がるデータ線６ａを共用し、視角制御用画素Ｐｂに対応する走査線３ａを専用に設けた第１実施形態に比べて、駆動周波数を上げなくても表示用画素Ｐｃと視角制御用画素Ｐｂとを個別に駆動制御することが可能である。すなわち、駆動周波数の上昇に伴う消費電力の増加を避けることができる。
【００７８】
また、専用データ線６ｂを設けることで液晶層５０に面する素子基板１０側の表面に段差が生じ、該段差によって液晶層５０の厚みが変動したとしても、赤、緑、青のうち最も視感度が低い赤の表示用画素Ｐｃ（Ｒ）の画素領域内では液晶層５０の厚みの変動に起因する色ムラが目立ち難い。
視角制御用画素Ｐｂでは、専用データ線６ｂが遮光領域の一部を構成しており、複数の帯状電極部１８ａ（あるいはスリット１８ｂ）の端部における液晶分子のツイストによる光漏れが防止される。
なお、専用データ線６ｂの配置は、これに限らず、赤の次に視感度が低い青の表示用画素Ｐｃ（Ｂ）の画素領域を通過するようにしてもよい。
【００７９】
（第３実施形態）
次に、第３実施形態の液晶装置について図９を参照して説明する。図９は第３実施形態の液晶装置における表示用画素と視角制御用画素の配置を示す模式平面図である。
【００８０】
図９に示すように、第３実施形態の液晶装置３００は、画素Ｐａを構成するところの異なる色の表示用画素Ｐｃ（Ｒ），Ｐｃ（Ｇ），Ｐｃ（Ｂ）を１組として、複数（この場合は、二つ）組の表示用画素Ｐｃに亘って隣接している視角制御用画素Ｐｂを有する。なお、表示用画素Ｐｃならびに視角制御用画素Ｐｂの基本的な構成は、第１実施形態の液晶装置１００または第２実施形態の液晶装置２００における表示用画素Ｐｃおよび視角制御用画素Ｐｂと同じである。
【００８１】
このような液晶装置３００によれば、液晶装置１００や液晶装置２００に比べて少ない数の視角制御用画素Ｐｂでも、視角制御が可能である。複数の帯状電極部１８ａ（あるいはスリット１８ｂ）の両端部を遮光領域内に位置させても、１つの視角制御用画素Ｐｂにおける開口率を向上させることができる。
【００８２】
（第４実施形態）
＜電子機器＞
次に本実施形態の電子機器について図１０を参照して説明する。図１０は電子機器の１例としての携帯型電話機を示す概略斜視図である。
【００８３】
図１０に示すように、本実施形態の電子機器としての携帯型電話機１０００は、複数の操作ボタン１００２、受話口１００３、送話口１００４及び表示部１００１を有する本体部１００５を備えている。
表示部１００１には、上記第１実施形態の液晶装置１００、第２実施形態の液晶装置２００、第３実施形態の液晶装置３００のいずれかが搭載されている。
このような携帯型電話機１０００によれば、使用者から見て極角度が大きくなる方向に位置する他人に見られたくない画像や情報を表示部１００１に表示するときには、視角制御用画素Ｐｂをオン（駆動）することにより、視角を制御して使用者のみが見られるようにすることができる。
【００８４】
また、表示部１００１を正面から見たときには、視角制御用画素Ｐｂにおける光漏れが防止されているので、見栄えのよい表示を行なうことが可能な携帯型電話機１０００を提供することができる。
【００８５】
なお、液晶装置１００，２００，３００を搭載可能な電子機器は、携帯型電話機１０００に限定されない。例えば、パーソナルコンピューター、液晶テレビ、デジタルスチルカメラ、ポータブルＤＶＤプレイヤー、ポータブルナビゲーションシステム、電子手帳、携帯型ＰＯＳ端末などの携帯型情報端末の表示部として好適に用いることができる。
【００８６】
上記実施形態以外にも様々な変形例が考えられる。以下、変形例を挙げて説明する。
【００８７】
（変形例１）上記表示用画素Ｐｃおよび視角制御用画素Ｐｂの構成は、これに限定されない。図１１（ａ）および（ｂ）は変形例１の液晶装置の表示用画素および視角制御用画素の構成を示す概略平面図、図１２（ａ）〜（ｃ）は変形例１の液晶装置の光学設計条件を示す模式図である。なお、第１実施形態の液晶装置１００と同じ構成には同じ符号を付して説明する。
【００８８】
図１１（ａ）に示すように、変形例１の液晶装置４００は、略矩形状の表示用画素Ｐｃと視角制御用画素Ｐｂとを有している。１つの表示用画素Ｐｃに対してＸ方向（すなわち走査線３ａの延在方向）に隣接して視角制御用画素Ｐｂが設けられている。
表示用画素Ｐｃおよび視角制御用画素ＰｂはＦＦＳ方式の電極構成を有している。表示用画素Ｐｃにおいて、共通電極１３に対向配置された画素電極１５は、長手方向（Ｙ方向）に所定の間隔をおいて設けられた複数の帯状電極部１５ａを有する。帯状電極部１５ａ（あるいはスリット１５ｂ）は、Ｘ方向に対して右上がりに傾斜している。画素電極１５はＴＦＴ３０のドレイン電極３０ｄにコンタクトホールＨ１を介して接続している。
視角制御用画素Ｐｂにおいて、共通電極１７に対向配置された画素電極１８は、短手方向（Ｘ方向）に所定の間隔をおいて設けられた複数の帯状電極部１８ａを有する。帯状電極部１８ａ（あるいはスリット１８ｂ）は、Ｙ方向に沿って延在している。画素電極１８はＴＦＴ３１のドレイン電極３１ｄにコンタクトホールＨ２を介して接続している。
【００８９】
図１１（ｂ）に示すように、視角制御用画素Ｐｂの複数の帯状電極部１８ａ（あるいはスリット１８ｂ）の両端部は、対向基板２０に設けられた遮光部２１により構成された遮光領域内に位置している。
【００９０】
図１２（ａ）に示すように、液晶装置４００の光学設計は、液晶セル１０１の初期配向が、画素の行方向つまりＸ方向に沿ったホモジニアス配向となっている。より具体的には、素子基板１０の配向膜１６におけるラビング方向と、対向基板２０の配向膜２３におけるラビング方向とは、互いにＸ方向に沿っているが１８０度逆向きとなっている。
【００９１】
一対の偏光板１９，２４の光学的な配置は、液晶セル１０１を挟んでクロスニコル（互いの透過軸または吸収軸が直交する状態）となっている。具体的には、照明装置からの光が入射する側に配置された偏光板１９の透過軸１９ｔは、上記初期配向方向と同一方向となっている。これに対して、光が射出される側に配置された偏光板２４の透過軸２４ｔは、上記初期配向方向と直交している。
【００９２】
すなわち、入射光は、偏光板１９を透過して直線偏光に変換され、液晶セル１０１を透過するものの、偏光板２４によって吸収されるため、非駆動状態つまり初期配向状態では黒表示となる。
【００９３】
図１２（ｂ）に示すように、表示用画素Ｐｃの画素電極１５のスリット１５ｂは、配向処理方向に対して右上がりに５°傾いている。したがって、帯状電極部１５ａを有する画素電極１５とこれに対向配置された共通電極１３との間に駆動電圧を印加すると、平面視で帯状電極部１５ａ（あるいはスリット１５ｂ）の延在方向と直交する方向に電界が生ずる。
正の誘電異方性を有する液晶分子ＬＣは、長軸が電界方向に向くように配向するため、帯状電極部１５ａの近傍では、時計回りにツイストする。これによって液晶層５０に旋光性が生ずる。偏光板１９によって直線偏光に変換された入射光は、液晶セル１０１を透過する間に旋光して偏光板２４を透過する。つまり、駆動時にはカラーフィルター２２により着色された色が観察され、画素Ｐａを構成する異なる色の表示用画素Ｐｃがすべて駆動状態のときには、白表示となる。
なお、配向処理方向と帯状電極部１５ａ（あるいはスリット１５ｂ）とがなす角度は、５°に限定されない。電界を生じさせたときに液晶分子ＬＣが一定の方向に安定してツイストする角度に設定される。
【００９４】
一方、視角制御用画素Ｐｂでは、画素電極１８のスリット１８ｂは、上記配向処理方向に対して直交する方向に延在している。したがって、帯状電極部１８ａを有する画素電極１８とこれに対向配置された共通電極１７との間に駆動電圧を印加すると、平面視で帯状電極部１８ａ（あるいはスリット１８ｂ）の延在方向と直交する方向に電界が生ずる。つまり配向処理方向と同一方向に電界が生ずる。正の誘電異方性を有する液晶分子ＬＣは、長軸が電界方向に向くように配向するものの、配向処理方向と電界方向とが同一なため、帯状電極部１８ａの近傍ではツイストなどの挙動は発生せず、液晶分子ＬＣのチルト角が増大する方向に変位する。
したがって、視角制御用画素Ｐｂを駆動すると、正面から見たときには、非駆動状態と同じ黒表示となるものの、正面方向から外れた斜め方向から見ると偏光板１９側からの入射光の一部が液晶層５０と偏光板２４とを透過して漏れてくる。すなわち、偏光板２４の吸収軸（液晶分子ＬＣの初期配向方向）に対して斜め方向における輝度が変化して、主にＹ方向における表示の視角制御を可能としている。
【００９５】
また、図１１（ｂ）に示すように複数の帯状電極部１８ａ（あるいはスリット１８ｂ）の両端部が遮光部２１による遮光領域内に位置しているので、該両端部における液晶分子ＬＣのツイストに伴う光漏れを防止可能な構造となっている。
【００９６】
（変形例２）上記表示用画素Ｐｃおよび視角制御用画素Ｐｂにおける電極構成は、ＦＦＳ方式に限定されない。図１３は変形例２の液晶装置の表示用画素および視角制御用画素の構成を示す概略平面図である。
【００９７】
図１３に示すように、変形例２の液晶装置５００は、異なる色に対応した略矩形状の表示用画素Ｐｃ（Ｒ），Ｐｃ（Ｇ），Ｐｃ（Ｂ）と視角制御用画素Ｐｂとを有している。表示用画素Ｐｃ（Ｒ），Ｐｃ（Ｇ），Ｐｃ（Ｂ）と視角制御用画素Ｐｂとの相対的な配置は、第１実施形態と同じである。すなわち、走査線３ａの延在方向（Ｘ方向）に配列した異なる色の表示用画素Ｐｃ（Ｒ），Ｐｃ（Ｇ），Ｐｃ（Ｂ）に亘って隣接するように略矩形状の視角制御用画素Ｐｂが配置されている。その一方で表示用画素Ｐｃおよび視角制御用画素Ｐｂにおける電極構成がＩＰＳ（In  Plane  Switching）方式となっている。
【００９８】
表示用画素Ｐｃは、複数の帯状電極部５０１ａを有する画素電極５０１と、複数の帯状電極部５０２ａを有する共通電極５０２とを有し、帯状電極部５０１ａと帯状電極部５０２ａとが同一平面内において所定の間隔をおいて交互に配置されている。また、帯状電極部５０１ａ，５０２ａは、データ線６ａに対して交差するように傾いて（右上がり８５°）配置されている。
画素電極５０１は、ＴＦＴ３０のドレイン電極３０ｄにコンタクトホールＨ１を介して接続している。共通電極５０２は、共通線３ｂと平面的に重なる部分において電気的に接続している。
【００９９】
一方、略矩形状の視角制御用画素Ｐｂは、複数の帯状電極部５０３ａを有する画素電極５０３と、複数の帯状電極部５０４ａを有する共通電極５０４とを有し、帯状電極部５０３ａと帯状電極部５０４ａとが同一平面内において所定の間隔をおいて互い違いに配置されている。また、帯状電極部５０３ａ，５０４ａは、走査線３ａに沿って配置されている。
画素電極５０３は、ＴＦＴ３１のドレイン電極３１ｄにコンタクトホールＨ２を介して接続している。共通電極５０４は、共通線３ｂと平面的に重なる部分において電気的に接続している。
【０１００】
なお、視角制御用画素Ｐｂにおいて、帯状電極部５０３ａ，５０４ａの両端部が遮光領域内に位置するように対向基板２０において遮光部２１を形成することが好ましい。
【０１０１】
このような液晶装置５００において、図６を用いて説明した光学設計条件を適用すれば、第１実施形態と同様の作用・効果を奏する。
【０１０２】
（変形例３）上記第１実施形態の液晶装置１００の視角制御用画素Ｐｂにおいて、帯状電極部１８ａ（あるいはスリット１８ｂ）の両端部を遮光する遮光領域の配置は、これに限定されない。例えば、上記両端部のうち一方の端部を遮光するように遮光部２１を設けたとしても、一方の端部における液晶分子ＬＣのツイストに伴う光漏れを防止することができるので、相応のコントラストが確保される。
【０１０３】
（変形例４）上記第１実施形態の液晶装置１００の視角制御用画素Ｐｂにおいて、ＴＦＴ３１のソース電極３１ｓに接続されるデータ線６ａは、赤の表示用画素Ｐｃ（Ｒ）のＴＦＴ３０に接続されるデータ線６ａに限定されない。他の緑の表示用画素Ｐｃ（Ｇ）または青の表示用画素Ｐｃ（Ｂ）であってもよい。
【０１０４】
（変形例５）上記第１実施形態の液晶装置１００の表示用画素Ｐｃおよび視角制御用画素Ｐｂにおいて、ＦＦＳ方式の電極構成は、これに限定されない。例えば、表示用画素Ｐｃでは、ＴＦＴ３０に接続される平板状の画素電極１５を形成し、液晶層５０に向かって画素電極１５に対向するように複数の帯状電極部を有する共通電極１３を絶縁層を介して配置してもよい。すなわち、液晶層５０に対する画素電極１５と共通電極１３の配置を入れ替えてもよい。視角制御用画素Ｐｂにおいても同様である。
【０１０５】
（変形例６）上記表示用画素Ｐｃは、赤（Ｒ）、緑（Ｇ）、青（Ｂ）の３色に対応するものに限定されない。例えば、上記３色以外の多色に対応するものとしてもよい。
【符号の説明】
【０１０６】
３ａ…走査線、６ａ…データ線、６ｂ…専用データ線、１０…一方の基板としての素子基板、１７…第１電極としての共通電極、１８…第２電極としての画素電極、１８ａ…帯状電極部、２０…他方の基板としての対向基板、２２…カラーフィルター、３０，３１…薄膜トランジスター、１００，２００，３００…液晶装置、１０００…電子機器としての携帯型電話機、ＬＣ…液晶分子、Ｐｂ…視角制御用画素、Ｐｃ…表示用画素。
【図１】
0005489267.tif 000002
【図２】
0005489267.tif 000003
【図３】
0005489267.tif 000004
【図４】
0005489267.tif 000005
【図５】
0005489267.tif 000006
【図６】
0005489267.tif 000007
【図７】
0005489267.tif 000008
【図８】
0005489267.tif 000009
【図９】
0005489267.tif 000010
【図１０】
0005489267.tif 000011
【図１１】
0005489267.tif 000012
【図１２】
0005489267.tif 000013
【図１３】
0005489267.tif 000014